(57)【特許請求の範囲】
【請求項１】
開閉自在な製氷室扉を設け、かつ製氷皿を内蔵し氷ができる温度に維持することができる製氷室を冷蔵庫本体に構成し、前記製氷室内に設けた駆動装置に着脱自在に連結されて駆動装置の駆動力により前記製氷室扉の反扉方向の後方に設けた軸を駆動して製氷皿を回転し、該製氷皿を変形することにより氷を製氷皿より分離して製氷皿の下方に位置する前後移動自在な貯氷箱内に落下させる製氷装置において、前記製氷皿の製氷室扉方向の前方に設けた軸部と製氷皿の後方に設けた軸部とを支持または把持する保持部分を備えていて、前記製氷皿を貯氷箱の上方に単独で保持できる開口領域を具備した枠状の保持体を設け、前記保持体は、製氷室の前面を開口して貯氷箱を前方に移動して製氷室より取出した時に、前記製氷皿を保持したまま製氷室外に取出して製氷皿を分離して取出すことができるようにするとともに、その一部に、前記製氷皿の開口領域内に突出した阻止部を設け、更に前記製氷皿を、該製氷皿の前後の軸部を通る中心線に対し、左右対称形に形成して前方と後方に設けた軸部を以って前記製氷皿を前記保持体の保持部分にバランスして保持させる構成にし、更に前記製氷皿の前後の対角位置に、該製氷皿が所定角度回転したときに前記阻止部と当接する当り部を設け、更に前記駆動装置と前記製氷皿の連結構造を、前記駆動装置の出力軸と前記製氷皿の軸部が着脱自在に連結する構造とし、前記製氷皿に設けた前方の軸部と後方に設けた軸部を同一形状とした製氷装置を具備する冷蔵庫。
【請求項２】
前記保持体の幅を、前記貯氷箱の幅よりも広く形成し、該保持体を前記製氷室外に取出した時に、製氷室扉とともに製氷室から取出した前記貯氷箱の開口上端面に載りかかるように構成した請求項１に記載の冷蔵庫。
【請求項３】
前記保持体の保持部分に、同一形状で、かつ前記製氷皿の前方、後方それぞれの軸部を着脱可能に保持するための小開口部を有するＵ字状の軸受を設けた請求項１または２に記載の冷蔵庫。
【請求項４】
前記製氷室の左右側壁に製氷室より出し入れする前記保持体の移動を案内する案内体と、前記製氷室より出し入れする前記貯氷箱の移動を案内する案内体をそれぞれ横方向に設けた請求項１乃至３のいずれか一項に記載の冷蔵庫。
【請求項５】
前記保持体を製氷室内へ収納した際に、前記保持部分の小開口を製氷室の上壁面の一部で閉じるように構成した請求項３または４に記載の冷蔵庫。
【請求項６】
前記製氷皿の軸方向における端部側の氷室を、該製氷皿の中央部に形成した氷室より幅を狭くして幅方向に並設することにより、前記端部側の氷室の間に空間部を形成し、更に、前記軸部の中心線に近接させた製氷皿の温度検出部を、前記空間部に設けた請求項１乃至５のいずれか一項に記載の冷蔵庫。
【請求項７】
前記保持体を連結手段により貯氷箱と連結し、貯氷箱とともに出し入れできる構成にした請求項１乃至６のいずれか一項に記載の冷蔵庫。
【発明の詳細な説明】
【０００１】
【発明の属する技術分野】
本発明は製氷装置を備えた冷蔵庫に関するものである。
【０００２】
【従来の技術】
従来のこの種の冷蔵庫に備えた製氷装置は、特開平６−３２３７０２号公報に開示された構造であった。すなわち、図１６、図１７に示すように冷蔵庫本体４０の冷凍室４１に自動製氷装置４２が設置されている。そして、自動製氷装置４２は、主として冷却器４３で冷却され、ファン４４により冷凍室４１を循環する冷気で水を冷やし、氷を作る製氷皿４５と、この製氷皿４５を駆動軸４６で回転させて変形を与え、前記氷を製氷皿４５から分離させる駆動装置４７と、前記製氷皿４５から分離して放出される氷を貯める貯氷箱４８から構成されている。前記製氷皿４５は前軸４９を、冷凍室４１に固定された駆動装置４７に後端部を固定してあるＬ字形のフレーム５０の前端部５１に設けた下向きＵ字状の溝５２に嵌合させ、後側の係合部５３を駆動軸４６へ着脱可能に係合している。また、製氷皿４５の前軸４９は溝５２より突出した端部を、両側の仕切壁５４の前端部にねじ５５で止めた化粧カバー５６の裏面に設けた外れ防止爪５７、５８に嵌合させ溝５２から外れないようにしている。なお、５９、６０はフレーム５０の前端部５１を支える化粧カバー５６の裏面に設けた外れ防止爪、６１は冷凍室４１の扉、６２は駆動装置４７より一体に延設した屈曲可能な温度センサで、駆動軸４６より長くして製氷皿４５の係合部５３内に位置している。
【０００３】
【発明が解決しようとする課題】
上記従来の構成において、洗浄等の目的で製氷皿４５を取り外す時は次のような作業を行うものである。先ず、扉６１を開けて製氷室４１を開成する。次に、ねじ５５を工具で外し化粧カバー５６を仕切板５４より取り外す。更に、貯氷箱４８を冷凍室４１より取り出して広くなった下側空間より手を差出して製氷皿４５を持ちながら若干、手前側へ引出して製氷皿４５の後側の係合部５３を駆動軸４６から外してから製氷皿４５の手前側を下方へ下げて前軸４９を溝５２から外し、そしてフレーム５０の前端部５１より製氷皿４５の上端が下になったら手前側へ引出して屈曲している温度センサ６２から係合部５３を外して始めて製氷皿４５を冷凍室４１外に取出せるのである。このように、多くの作業を行わないと製氷皿４５を取り外せないものである。
【０００４】
また、製氷皿４５を再び取付ける時は前記説明した順序とは逆に作業を行えば良いことはもちろんであるが、特に製氷皿４５の後側の係合部５３が手前側から見えないので、温度センサ６２、そして駆動軸４６への係合部５３の挿入および係合は容易なものではなく、冷蔵庫を使用する一般の顧客では取り外し、取付けは極めて困難なものであった。
【０００５】
本発明は、上記従来の課題を解決するものであり、冷蔵庫本体の製氷室へ出し入れ自在に設けた保持体に、製氷皿を製氷室外において着脱可能に保持または把持した製氷装置を具備する冷蔵庫で、製氷皿の着脱と出し入れを安定して簡単、かつ容易にするものである。
【０００６】
【課題を解決するための手段】
上記課題解決するために本発明は、開閉自在な製氷室扉を設け、かつ製氷皿を内蔵し氷ができる温度に維持することができる製氷室を冷蔵庫本体に構成し、前記製氷室内に設けた駆動装置に着脱自在に連結されて駆動装置の駆動力により前記製氷室扉の反扉方向の後方に設けた軸を駆動して製氷皿を回転し、該製氷皿を変形することにより氷を製氷皿より分離して製氷皿の下方に位置する前後移動自在な貯氷箱内に落下させる製氷装置において、前記製氷皿の製氷室扉方向の前方に設けた軸部と製氷皿の後方に設けた軸部とを支持または把持する保持部分を備えていて、前記製氷皿を貯氷箱の上方に単独で保持できる開口領域を具備した枠状の保持体を設け、前記保持体は、製氷室の前面を開口して貯氷箱を前方に移動して製氷室より取出した時に、前記製氷皿を保持したまま製氷室外に取出して製氷皿を分離して取出すことができるようにするとともに、その一部に、前記製氷皿の開口領域内に突出した阻止部を設け、更に前記製氷皿を、該製氷皿の前後を通る中心線に対し、左右対称形に形成して前方と後方に設けた軸部を以って前記製氷皿を前記保持体の保持部分にバランスして保持させる構成にし、更に前記製氷皿の前後の対角位置に、該製氷皿が所定角度回転したときに前記阻止部と当接する当り部を設け、更に前記駆動装置と前記製氷皿の連結構造を、前記駆動装置の出力軸と前記製氷皿の軸部が着脱自在に連結する構造とし、前記製氷皿に設けた前方の軸部と後方に設けた軸部を同一形状とした製氷装置を具備する冷蔵庫である。
【０００７】
上記構成により、製氷皿の着脱と出し入れを安定して簡単、かつ容易に行うことができる。
【０００８】
【発明の実施の形態】
本発明の請求項１に記載の発明は、開閉自在な製氷室扉を設け、かつ製氷皿を内蔵し氷ができる温度に維持することができる製氷室を冷蔵庫本体に構成し、前記製氷室内に設けた駆動装置に着脱自在に連結されて駆動装置の駆動力により前記製氷室扉の反扉方向の後方に設けた軸を駆動して製氷皿を回転し、該製氷皿を変形することにより氷を製氷皿より分離して製氷皿の下方に位置する前後移動自在な貯氷箱内に落下させる製氷装置において、前記製氷皿の製氷室扉方向の前方に設けた軸部と製氷皿の後方に設けた軸部とを支持または把持する保持部分を備えていて、前記製氷皿を貯氷箱の上方に単独で保持できる開口領域を具備した枠状の保持体を設け、前記保持体は、製氷室の前面を開口して貯氷箱を前方に移動して製氷室より取出した時に、前記製氷皿を保持したまま製氷室外に取出して製氷皿を分離して取出すことができるようにするとともに、その一部に、前記製氷皿の開口領域内に突出した阻止部を設け、更に前記製氷皿を、該製氷皿の前後を通る中心線に対し、左右対称形に形成して前方と後方に設けた軸部を以って前記製氷皿を前記保持体の保持部分にバランスして保持させる構成にし、更に前記製氷皿の前後の対角位置に、該製氷皿が所定角度回転したときに前記阻止部と当接する当り部を設け、更に前記駆動装置と前記製氷皿の連結構造を、前記駆動装置の出力軸と前記製氷皿の軸部が着脱自在に連結する構造とし、前記製氷皿に設けた前方の軸部と後方に設けた軸部を同一形状とした製氷装置を具備する冷蔵庫である。
【０００９】
上記実施形態において、製氷皿は、保持体に保持されて製氷室への出し入れが行われるので、安定した出し入れになるとともに、製氷皿自身も保持体と着脱できる構成にすることが可能になる。また、保持体は枠状に形成されているため、構造的に強くなり、保持した製氷皿を安定して製氷室へ出し入れすることができる。更に、保持体は、前方と後方に設けた軸部を以って保持部分に保持された製氷皿をバランスして保持させるので、製氷皿の保持作業が普通に行える。更に、駆動装置の出力軸と製氷皿の軸部が嵌合する構造とし、製氷皿に設けた前方の軸部と後方に設けた軸部を同一形状としたことにより、前記製氷皿の前後が逆になっても駆動装置に連結でき、従って、製氷皿の保持作業を、前後方向の取付け誤りを気にすることなく行うことができる。
【００１０】
また、請求項２に記載の発明は、請求項１に記載の発明において、前記保持体の幅を、前記貯氷箱の幅よりも広く形成し、該保持体を前記製氷室外に取出した時に、製氷室扉とともに製氷室から取出した前記貯氷箱の開口上端面に載りかかるように構成した冷蔵庫である。
【００１１】
上記実施形態において、請求項１に記載の実施形態と同様の作用が得られるとともに、製氷皿の着脱時の保持が安定し、前記支えに特別な部材を使用するのではなく、貯氷箱を利用する簡単な構造にでき、かつ保持体自身の強度も一般的にすることが可能になる。
【００１２】
また、請求項３に記載の発明は、請求項１または２に記載の発明において、前記保持体の保持部分に、同一形状で、かつ前記製氷皿の前方、後方それぞれの軸部を着脱可能に保持するための小開口部を有するＵ字状の軸受を設けた冷蔵庫である。
【００１３】
上記実施形態において、請求項１に記載の実施形態と同様の作用が得られるとともに、保持体を製氷室外へ取出し、製氷皿を取り外すときは、保持部分の上面が開口しているので、製氷皿は持ち上げるだけで前方、後方それぞれの軸部を保持部分から外し、取り外すことができる。また、逆に上方から軸部と後方部を小開口より保持部分に嵌合するだけで製氷皿は保持できる。
【００１４】
また、請求項４に記載の発明は、請求項１乃至３のいずれか一項に記載の発明において、前記製氷室の左右側壁に製氷室より出し入れする前記保持体の移動を案内する案内体と、前記製氷室より出し入れする前記貯氷箱の移動を案内する案内体をそれぞれ横方向に設けた冷蔵庫である。
【００１５】
上記実施形態において、請求項１に記載の実施形態と同様の作用が得られるとともに、貯氷箱と保持体は、製氷室からの出し入れ時、それぞれ製氷室の左右側壁の案内体に案内されて移動するため、製氷皿の着脱時の保持はもちろん、出し入れ時の保持も安定させることができる。しかも、前記支えに特別な部材を使用するのではなく貯氷箱を利用する簡単な構造にでき、かつ保持体自身の強度も一般的にすることが可能になる。
【００１６】
また、請求項５に記載の発明は、請求項３または４に記載の発明において、前記保持体を製氷室内へ収納した際に、前記保持部分の小開口を製氷室の上壁面の一部で閉じるように構成した冷蔵庫である。
【００１７】
上記実施形態において、請求項１に記載の実施形態と同様の作用が得られるとともに、前記保持体を製氷室の所定位置へ入れれば保持部分の小開口は製氷室の上壁面の一部で閉じられ、軸部の保持部分からの外れが防止される。したがって、製氷皿の回転時に軸部の小開口からの浮き上がりによる外れを防止できる。
【００１８】
また、請求項６に記載の発明は、請求項１乃至５のいずれか一項に記載の発明において、前記製氷皿の軸方向における端部側の氷室を、該製氷皿の中央部に形成した氷室より幅を狭くして幅方向に並設することにより、前記端部側の氷室の間に空間部を形成し、更に、前記軸部の中心線に近接させた製氷皿の温度検出部を、前記空間部に設けた冷蔵庫である。
【００１９】
上記実施形態において、請求項１に記載の実施形態と同様の作用が得られるとともに、製氷皿の端部側の氷室を、該製氷皿の中央部に形成した氷室より幅を狭くすることで前記端部側の氷室の間に空間部を形成し、前記空間部に製氷皿の温度検出部を設けたことにより、前記温度検出部を製氷皿の回転部分である後方の軸部の中心線に近接することができる。従って、温度検出部に内蔵した製氷センサから導出したリード線等を、製氷皿の回転
部分である後方の軸部の中心線に近接して配線することが可能になる。また、温度空間部を形成するための空間部は、製氷皿の端部側の氷室間にだけ設け、中央部の氷室を、端部側の氷室より大きくしたことにより、製氷皿の全体に亘って空間部を設ける場合よりも氷室の設計が合理的になるとともに、大小の氷を作れる。
【００２０】
また、請求項７に記載の発明は、請求項１乃至６のいずれか一項に記載の発明において、前記保持体を連結手段により貯氷箱と連結し、貯氷箱とともに出し入れできる構成にした冷蔵庫である。
【００２１】
上記実施形態において、請求項１に記載の実施形態と同様の作用が得られるとともに、保持体は連結手段により貯氷箱と連結し、貯氷箱とともに出し入れできるので、製氷皿の出し入れ作業が貯氷箱と同時にできることになり、製氷皿の出し入れを合理的に行えるものである。
【００２２】
【実施例】
以下、本発明の製氷装置を具備する冷蔵庫の一実施例につき、図１〜図１５を参照して説明する。
【００２３】
（実施例１）
図１〜図１３は請求項１〜請求項６の各発明に対応する一実施例における冷蔵庫に具備する製氷装置部分を示すものである。
【００２４】
図１、図２において、１は冷蔵庫本体で、２は冷蔵庫本体１の真中より少し下側に設けた製氷装置の製氷室である。この製氷室２は、引出し式の製氷室扉３と上断熱壁４と下断熱壁５と後部断熱壁６と左右の断熱壁とに囲まれて構成されている。７は製氷室２の奥側に配置した隔壁で、製氷室２へ冷気を導入する開口部８を有する。９は後部断熱壁６と隔壁７とで形成した冷気通路で、下方に冷凍サイクルの冷却器１０が、上方にファン１１がそれぞれ配置されている。そして、冷却器１０で発生した冷気は、ファン１１により冷気通路９、開口部８を経て製氷室２内を循環して冷却器１０側に戻るものである。
【００２５】
１２は製氷室２内に手前側より出し入れ自在に配置した長方形の製氷皿で、上方へ広がった鉢状の２種類の氷室１３、氷室１４に区分され、氷室１３は前後に相当する両端に幅方向へ２個ずつ並べて設けた計４個、氷室１４は中央に設けた４個からなり、氷室１３が氷室１４より幅方向において小さく形成してある。この製氷皿１２は、製氷室２を循環する冷気で氷室１３、１４に注水した水を冷却して氷を製造し、かつ長手方向の両端になる前後上端に中心線Ｋ上に沿い前側の軸部としての筒状の軸部１５、後方の保持部としての軸部１５と、中心点に対し点対称の位置になる前後の角に当り部１６をそれぞれ設け、長手方向における中心線Ｋに対し左右対称形に形成している。すなわち、製氷皿１２は前記軸部１５、１５を以って、後述する保持体に回転かつ着脱自在に保持または把持した時、大きく傾いて製氷皿が保持された場合でも独りでに回転して略水平にバランスできるように構成したもので、前記構成により前記保持構成を簡単にするものである。
【００２６】
また、前記軸部１５は、製氷皿１２を後述する保持体に着脱する際、前後逆になっても支障のないようにする目的で前側、後側ともに同一形状に形成するものである。すなわち、軸部１５は製氷皿１２と一体に筒状部に形成して内部に動力伝達を受ける断面略長方形の連結部１５ｃを設け、図３、図４に示すように軸方向に沿い外周面を、先に径小部１５ａと製氷皿側に径大部１５ｂをそれぞれ形成した２段形状にして後述する保持体に製氷皿１２を保持した時、径大部１５ｂが保持体に当って製氷皿１２の前後へのずれを防止する。更に、軸部１５には氷室１４より氷室１３を幅方向において小さくして幅方向へ並設した氷室１３の間に他より大きな空間部１５ｅを形成し、この空間部１５ｅに、連結部１５
ｃと一体に軸部１５の中心線へ近接して下方に連結部１５ｃよりも先まで延接した筒状の温度検出部１５ｄを配置形成している。この温度検出部１５ｄは内部に後述する製氷センサを内蔵するもので、軸部１５の中心線へ近接させることで、製氷皿１２が軸部１５を中心に回転した時に製氷センサより導出しているリード線の配線に支障のないようにしている。
【００２７】
図４において、１７は製氷室２内に固定し、製氷皿１２を回転させて変形させ、氷室１３、１４から氷を分離させる駆動装置で、製氷皿１２の軸部１５の連結部１５ｃが着脱自在に連結する軸としての出力軸１７ａを有し、略中央から突出している。１８は製氷皿１２を常に単独で支持または把持し、図９、図１０に示すように製氷室２外において回転かつ着脱自在に支持または把持する枠としての保持体で、製氷皿１２の軸部１５、１５を上方より着脱自在に支持または把持するための支持部分、または把持部分としての、上面に小開口部を有する同一形状のＵ字状の軸受１８ａ、１８ｂを前部と後部に形成し、かつ製氷皿１２が回転できる長方形の開口領域１８ｃを有する。従って、保持体１８の保持部分である前後の軸受１８ａ、１８ｂは、製氷皿１２の軸部１５、１５を回転可能に支持または把持して軸受として製氷皿１２を略水平にバランスさせているものである。
【００２８】
１８ｄは保持体１８の前側内面の両側に、保持体１８と一体に成形した阻止部で、開口領域１８ｃに臨み、製氷皿１２が支持されている水平状態から反時計方向へ駆動装置１７に回転させられた時に当り部１６が当接し、製氷皿１２がさらに回転すると捻られて変形し氷室１３、１４から氷が分離し下方へ放出するようにするものである。１９は保持体１８の前側に固定し、保持体１８を製氷室２へ出し入れする際に手で握る把手で、弾性力を有する変形可能なフック１９ａを有し、常に製氷室扉３に覆われており、製氷室扉３を開けた際に製氷室２の前面開口に臨むものである。
【００２９】
２０は保持体１８を製氷室２へ出し入れする際に、保持体１８の滑りながらの移動を案内するため、製氷室２の左右の側壁へ水平に設けたレール状の一対の案内体で、図４に示すように製氷室２内に設置してある貯氷箱２１の開口上端面と同一高さに位置し、保持体１８が案内されて製氷室２内に収納された時に、保持体１８の一部が貯氷箱２１の開口上端面にも載りかかって支えられるようにしている。従って、製氷室２から貯氷箱２１が引出された状態では、図５、図６に示すように保持体１８は左右の案内体２０だけにより支えられているものである。
【００３０】
また、保持体１８は、案内体２０に案内されて製氷室２より引き出し、かつ後端部が案内体２０と押え部２２の間に挟まれている時に、図７、図８に示すように前記製氷室扉３とともに製氷室２から引き出した貯氷箱２１の開口上端面に載りかかるように形成してある。前記押え部２２は、保持体１８を製氷室２内へ収納した際に、手前側の軸受１８ａの小開口を閉じて軸部１５が回転時に浮き上がらないようにするもので、製氷室２の上壁の一部等で形成している。
【００３１】
貯氷箱２１は、製氷室扉３の裏面に前端部を固定した一対の金属製板からなる案内腕２３の間に挟まれて保持されている。そして、案内腕２３は、製氷室２の奥へ延びた後端部に可動滑車２４を設け、この可動滑車２４を製氷室２の左右側壁に水平に取付けた案内体としてのレール２５に沿い回転させて案内腕２３を移動させ、製氷室２への貯氷箱２１の出し入れを行うものである。前記レール２５は、上段レール２５ａと下段レール２５ｂからなり、これらの間を可動滑車２４が転がり移動する。２６は製氷室２の製氷室扉３側よりにおける製氷室２の側壁に固定した固定滑車で、案内腕２３の移動により回転しながら案内腕２３の下端面を支えるものである。
【００３２】
なお図中、２７は温度に応じて抵抗が変化する製氷センサで、出力軸１７ａ側から製氷
皿１２に向かって突出して後側の軸部１５の温度検出部１５ｄ内に位置し、製氷皿１２の幅方向に隣り合う氷室３の間に密着して製氷皿１２内の水または氷の温度を検知する。そして、製氷センサ２７は、製氷皿１２に水が供給された時は、製氷皿１２の底面の表面温度が上昇するので抵抗は低くなり、氷が生成され、製氷皿１２の表面温度が降下すると抵抗は高くなるものである。本実施例では製氷センサ２７の抵抗が７ｋΩになった時、製氷皿１２内の温度が−３℃〜−５℃の範囲内に到達し、製氷が完了したと判断する。２８は貯氷箱２１内の氷量を検知する検氷レバーで、一端が駆動装置１７に保持され、駆動装置１７により回転して貯氷箱２１内に進入し、貯氷箱２１内に氷が十分にある場合は、氷に当り所定位置を越えて進入することができないようにしてある。また貯氷箱２１内の氷が不足している場合は、検氷レバー２８が氷に当たることなく貯氷箱２１内の所定位置を越えて進入するものである。本実施例では、検氷レバー２８が貯氷箱２１内の所定位置を越えて進入した時に、駆動装置１７内に内蔵された検知スイッチ（図示せず）がＯＮするように設定している。
【００３３】
上記実施例において、洗浄目的等で製氷装置の製氷皿１２を取出す際の動作を説明する。先ず、製氷室扉３を片手で持って図５、図６のように手前に移動させ、製氷室２を開成する。そして、製氷室扉３の開成とともに案内腕２３に支持された貯氷箱２１が同じようにレール２５を介して製氷室２外に移動する。案内腕２３は、後端の可動滑車２４がレール２５に沿って移動するため、製氷室扉３は、レール２５の軌道に沿った動作で移動するとともに、案内腕２３が固定滑車２６に乗っているので、可動滑車２４と固定滑車２６の回転によって滑らかな移動動作が助長される。そして、製氷室扉３が移動された時、案内腕２３は固定滑車２６を支点として、可動滑車２４が上段レール２５ａの抗力を受けて停止するため、製氷室扉３は移動された状態を維持することができる。
【００３４】
製氷室扉３が移動されて停止した状態で、把手１９を片手で持って図７、図８のように保持体１８を手前に引出して移動させると、左右の案内体２０上を滑って保持体１８が移動するとともに、先に移動している貯氷箱２１の開口上端面に載って支えられる。一方、保持体１８に保持された製氷皿１２も、保持体１８に製氷可能状態に保持されたままで移動するので、駆動装置１７の出力軸１７ａ、製氷センサ２７から製氷皿１２の軸部１５の連結部１５ｃ、温度検出部１５ｄがそれぞれ滑らかに離れるのである。
【００３５】
製氷室２外に位置した製氷皿１２は、その前後の軸部１５、１５を保持体１８の前後に設けた保持部分としての小開口を有するＵ字状の軸受１８ａ、１８ｂに嵌合しているだけなので、図９、図１０のように使用者は開口領域１８ｃより片手を入れて製氷皿１２を持ち上げることにより、製氷皿１２を保持体１８から取り外すことができる。
【００３６】
また前記とは逆に製氷皿１２を取付けるには、基本的に前記と逆の順序で行うものである。特に、製氷皿１２は、片手で持って前後の軸部１５、１５を保持体１８の軸受１８ａ、１８ｂに合わせて嵌合すれば、例え大きく傾いておったとしても独りでに略水平にバランスし、所定の位置に取付けられる。そして、把手１９を持って保持体１８を後方へ押せば、保持体１８は貯氷箱２１の開口上端面および案内体２０に案内されて製氷室２内へ移動し、この保持体１８とともに移動した製氷皿１２は、後方の軸部１５の温度検出部１５ｄが製氷センサ２７に嵌合し、続いて連結部１５ｃが駆動装置１７の出力軸１７ａに係合することにより、小さな傾きを含む略水平に保持されていた製氷皿１２が確実に水平に修正され、製氷可能状態に設置される。最後は、製氷室扉３を押して製氷室２を閉じ、貯氷箱２１を製氷皿１２の下方に設置して完了する。
【００３７】
以上のように本実施例の製氷装置は、製氷室２へ出し入れ自在に設けた保持体１８に、製氷皿１２を製氷室２外において前後の軸部１５、１５と小開口を有する軸受１８ａ、１８ｂとで着脱自在に保持しているので、製氷皿１２は保持体１８により製氷室２へ安定し
て出し入れできるとともに、保持体１８からの着脱も容易にできる。
【００３８】
また、保持体１８は、製氷皿１２の前側の軸部１５と後方の保持部である軸部１５を以って保持部分としての軸受１８ａ、１８ｂにて製氷皿１２を保持すると、製氷皿１２が円滑に回転をして略水平にバランスするように製氷皿１２を保持させる構成にしているので、特に気を使うことなく製氷皿の保持作業を普通に行える。そして、製氷皿１２は、保持体１８を介して製氷室２へ出し入れするので、保持体１８に着脱可能に保持する簡単な保持構造だけを設ければよい。従って、製氷皿を製氷室から直接に出し入れする際のような構造を設けることで大型化と複雑になり、製氷皿の取扱いを悪くするようなことも解消できる。
【００３９】
更に本実施例では、保持体１８を製氷室２より引き出しで移動させた時に、貯氷箱２１の開口上端面に載りかかって支えられるようにしているので、製氷皿１２の着脱時の保持を安定させられ、着脱作業を容易にできるとともに、前記支えに特別な部材ではなく、貯氷箱２１を利用する簡単な構造にできて価格の低下を図ることもでき、そして保持体１８自身の強度も一般的でよくなり、材料の安価なものを利用でき、構造も強度を最優先に設計する場合よりも種々選択が可能になり、設計し易くできる。
【００４０】
更に本実施例では、保持体１８を枠状に形成しているので、構造的に強度が増して製氷皿１２自身の保持はもちろん、製氷皿１２を保持して保持体は製氷室２への出し入れを安定して行えるとともに、保持部分としての軸受１８ａ、１８ｂの小開口部により、製氷皿１２の着脱が容易になり、更には駆動装置１７により製氷皿１２が回転する時も、確実に保持できて製氷皿１２の回転を容易にさせられる。
【００４１】
更に本実施例では、保持体１８は、製氷室２の前面を開閉し、貯氷箱２１を前方に移動して製氷室２より取出した時、そして反対に貯氷箱２１を後方に移動して製氷室２に収めた時のいずれにおいても、製氷皿１２を保持したまま製氷室２の内外に取出され、また、製氷室扉３とともに製氷室２から取出し、または製氷室２に収めた貯氷箱２１の開口上端面に常に載りかかって支えられるとともに、貯氷箱２１と保持体１８は、製氷室２からの出し入れ時、それぞれ製氷室２の左右側壁の案内体２０、案内体としてのレール２５に案内されて移動する。従って、製氷皿１２の着脱時の保持はもちろん、出し入れ時の保持も安定させられるとともに、前記支えに特別な部材を使用するのではなく、貯氷箱を利用する簡単な構造にでき、かつ保持体自身の強度も一般的にすることが可能になる。また、製氷皿１２の前後に位置する保持部としての軸部１５、１５を、保持体１８の前後の保持部分としての軸受１８ａ、１８ｂに嵌合するだけで着脱自在に保持しているので、前記保持部分の構成は、製氷皿１２から氷を分離するために製氷皿１２を回転させるための一般的な軸と軸受の機構を利用し、特別な部材を使用しないから、簡単な構成で保持することができる。
【００４２】
更に本実施例では、保持体１８を製氷室２外へ移動した際に、軸受１８ａ、１８ｂの上面には小開口部を有しているので、この保持部分としての軸受１８ａ、１８ｂに保持部としての軸部１５、１５を嵌合している製氷皿１２は、持ち上げるだけで軸部１５が軸受１８ａ、１８ｂから外れて取り外すことができる。また、逆に上方から軸部１５、１５を軸受１８ａ、１８ｂに嵌合するだけで製氷皿１２は保持できる。従って、製氷皿１２は極めて容易に着脱できる。また、保持体１８を製氷室２の所定の位置へ入れると、保持体１８の前側の軸受１８ａの小開口部は、製氷室２の上壁面の一部を利用して設けた押え部２２により閉じられるので、製氷皿１２の回転時に軸部１５の軸受１８ａからの浮き上がりによる外れを防止できる。
【００４３】
更に本実施例では、製氷皿１２の前側および後側の軸部１５、１５が、連結部１５ｃと
温度検出部１５ｄを同一形状でそれぞれ設けているので、製氷皿１２の前、後を気にすることなく、製氷室２外の保持体１８の保持部分としての軸受１８ａ、１８ｂに軸部１５、１５を保持せしめ、把手１９を持って保持体１８を後方へ押せば、保持体１８は貯氷箱２１の開口上端面および案内体２０に案内されて製氷室２内へ移動する。この保持体１８とともに移動した製氷皿１２は、後方の軸部１５の温度検出部１５ｄが製氷センサ２７に嵌合し、連結部１５ｃが駆動装置１７の出力軸１７ａに係合して水平にバランスして製氷状態に設置される。従って、製氷皿１２は、前後方向の取付け誤りを気にする必要なく簡単に保持体１８への着脱を行うことができるとともに、水平に保たれ製氷状態に設置できる。
【００４４】
更に本実施例では、製氷皿１２を、この製氷皿の中心線Ｋに対し左右対称形に形成し、かつ前記中心線Ｋ上における製氷皿１２の前後上端に設け、保持体１８の保持部分としての軸受１８ａ、１８ｂへ着脱可能に保持せしめる前部の軸部１５と、後方の保持部としての軸部１５を以って前記保持体１８の保持部分に独りでにバランスして略水平に保持させる構成にしたので、製氷皿１２の保持部としての軸部１５、１５を、保持体１８の保持部分としての軸受１８ａ、１８ｂに保持すれば、この保持する際に製氷皿１２を大きく傾いて保持してしまっても、軸部１５、１５を中心に製氷皿１２が回転して小さな傾きを含む略水平にバランスし、かつ軸部１５、１５と軸受１８ａ、１８ｂの摩擦力も加わってバランスを保って保持され、その保持構成は簡単なものでも安定して保持できるとともに、保持体１８の出し入れも安定して行うことができる。
【００４５】
更に本実施例では、製氷皿１２は氷のできる複数の氷室１３、１４を有し、前部の軸部１５と後方の保持部としての軸部１５を以って保持体１８の保持部分である軸受１８ａ、１８ｂに回転かつ着脱自在に設け、更に製氷皿１２には、端部側の氷室１３を他の氷室１４より幅を狭くし幅方向に並設した前記端部側の氷室１３の間に空間部１５ｅを形成し、この空間部１５ｅを利用して前記保持部としての軸部１５、１５の中心線に近接させて温度検出部１５ｄを、並設した氷室１３の間に設けたものである。従って、温度検出部１５ｄに内蔵した製氷センサ２７から導出したリード線等は、製氷皿１２の回転部分である後方の保持部としての軸部１５の中心線に近接して配線することが可能になり、回転によるリード線等の損傷を軽減できる。また、温度検出部１５ｄを形成するための空間部１５ｅは、製氷皿１２の端部側の氷室１３間にだけ設け、他の氷室１４は端部側の氷室１３より製氷皿の幅方向へ大きくしているので、製氷皿１２の全体に亘って空間部を設ける場合よりも氷室１３、１４の設計を合理的にできるとともに、大小の氷も造ることができることになり、同一大きさの場合よりも氷を使用目的に合わせて利用できる利点を有する。
【００４６】
なお、上記実施例では保持体１８を枠状に形成したが、所期の目的を達成するものであれば、これに限定されるものではない。すなわち、図１２に示す保持体１８０は、製氷室２へ出し入れできるように、左右の案内体２０に案内されて移動する前腕１８１、後腕１８２と、これらを連結する連結部１８３と、保持部分としての軸受１８０ａ、１８０ｂを有するもので、軸受１８０ａ、１８０ｂに製氷皿１２の保持部としての軸部１５、１５を嵌合させることで着脱自在に保持させる。また、図１３に示す保持体１８５は、長方形の板状のもので、前後に下方へ向けて設けた保持部分としての下向に小開口部を有するＵ字状の軸受１８５ａ、１８５ｂを有し、板状の保持体１８５を製氷室２の天井壁に設けたレール（図示せず）に沿って移動させることで製氷室への出し入れの移動を行い、弾性力で変形する軸受１８５ａ、１８５ｂへ製氷皿１２の軸部１５、１５を着脱自在に嵌合させて保持するものである。そして、各保持体１８０、１８５は、製氷室への出し入れを容易にするための把手（図示せず）を設けるものである。また、保持体１８５では、製氷皿１２が氷を分離するために回転する際、この回転が可能なように、例えば軸受１８５ａ、１８５ｂの下方へ延設した長さを、上方の保持体１８５との関係において設定するものである。
【００４７】
また、上記実施例では、保持体１８を製氷室２から引出しで移動させた時、貯氷箱２１の開口上端面に載りかかるようにして保持体１８を支えたが、案内腕２３の高さを貯氷箱２１の高さと同じ位置まで設定して、移動させた保持体１８を案内腕２３で下から支えるようにしても良い。
【００４８】
また、上記実施例では、案内体２０、レール２５を案内体として別部材を製氷室２に設けたが、前記製氷室２の左右の側壁を直接凹状に窪ませて案内体を形成しても良い。
【００４９】
（実施例２）
図１４、図１５は請求項７の発明に対応する一実施例における冷蔵庫に具備する製氷装置部分を示す横断面図と従断面図である。この発明は製氷皿を保持した保持体を、必要に応じて貯氷箱と一緒に製氷室に出し入れできるように構成した点が上記実施例１と異なるだけで、これ以外の同一構造、作用効果を奏する部分には同じ符号を付して詳細な説明を省き、異なる部分を中心に説明する。
【００５０】
３０は後端部を保持体１８の上面に設けてある軸受３１に回転自在に軸支して、駆動装置１７より後方に配置した棒状のレバーで、前端部に当接部３２と爪部３３を設けている。３４は貯氷箱２１の左右側壁の一方の開口上端面に、前記爪部３３に相対向して設けた爪係合部で、前記レバー３０の前端部側の上下動で爪部３３が着脱自在に係合するようにしてある。３５は駆動装置１７により回転されるカム体で、駆動装置１７の軸１７ｂに一端部を連結し、回転により他端部に設けたカム作用部３６を、レバー３０の当接部３２に下側から当接、または当接部３２より後退するようにしている。なお、前記レバー３０とレバー３０の爪３３が着脱可能に係合する爪係合部３４の一例を以って、保持体１８を貯氷箱２１に連結する連結手段とし、レバー３０の当接部３２とカム体３５の一例を以って、前記連結手段の連結と連結を外す連結解除手段とする。また、冷蔵庫本体１の所定の外面には、貯氷箱２１とともに製氷皿１２を製氷室２の外に取出したい時に、制御装置（図示せず）を介して駆動装置１７に信号を送る製氷皿取出し釦（図示せず）を設けている。
【００５１】
上記実施例において、貯氷箱２１とともに製氷皿１２を製氷室２の外に取出したい時、製氷皿取出し釦を押すと、駆動装置１７の駆動によりカム体３５が軸１７ｂを介して回転する。そして、通常は図１５に示すようにカム作用部３６が当接部３２に当接して、レバー３０を２点鎖線に示す如く持ち上げて爪３３を爪係合部３４から外している。しかし、上記したようにカム体３５が回転すると、カム作用部３６がレバー３０の当接部３２より後退し、レバー３０が軸受３１を支点に回動して下降し始める。そして、カム体３５が更に回転してカム作用部３６が完全に当接部３２より離れて後退すると、レバー３０は図１５の実線で示すようになって、爪３３が貯氷箱２１の爪係合部３４に係合する。
【００５２】
従って、製氷室扉３を手前に引出して移動させると、貯氷箱２１が同じように前記扉３とともに移動するので、爪係合部３４に爪３３が係合したレバー３０で以って、貯氷箱２１と連結された保持体１８も一緒に製氷室２外に取出され、この保持体１８に軸部１５、１５を以って軸受１８ａ、１８ｂに着脱自在に保持されている製氷皿１２を取出すことができるのである。すなわち、製氷皿取出し釦を使用すれば、上記実施例１で説明したように、製氷室扉３とともに貯氷箱２１を製氷室外に取出し、続いて保持体１８を製氷室外に取出す２段階の作業をすることなく、いっきに製氷室扉３を開けるだけで貯氷箱２１と同時に製氷皿１２を取出せるのである。
【００５３】
また、出来あがった氷を分離するため、製氷皿１２が回転している最中に、製氷皿取出し釦を押した場合には、制御装置は駆動装置１７により、製氷皿１２を水平位置に戻してからカム体３５を駆動するように設定してあるので、上記した製氷皿１２が回転中に製氷
室外に取出されるのを回避できる。
【００５４】
また、製氷皿取出し釦を使用しなければ、貯氷箱２１のみ製氷室外に取出せるものである。すなわち、常にレバー３０はカム体３５により上方に持ち上げられているので、爪３３は貯氷箱２１の爪係合部３４より外れている。従って、製氷室扉３を手前に引出して移動させると、貯氷箱２１のみが取出せるのである。もちろん、この状態より製氷皿１２を製氷室外に取出したい時は、いったん製氷室扉３を閉めて図１５の状態にしてから、製氷皿取出し釦を押して再び製氷室扉３を開ければよいものである。ただ、この場合はいったん製氷室扉３を閉めなければならないので面倒ではある。そこで、この事を考慮して、いったん製氷室扉３を閉めずに、そのまま把手１９を持って保持体１８を手前に引出して製氷室外に移動させ、前記保持体１８から製氷皿１２を着脱することも可能ではある。ただ、この形態ではカム体３５の上昇しているカム作用部３６と、これに当接している当接部３２とが、保持体１８の出し入れの際に、前記保持体１８の前後への移動において、当接部３２を含むレバー３０がカム作用部３６からうまく外れ、そして反対に乗り上げるように、当接部３２、爪３３、レバー３０とカム作用部３６の間で、相対的に形状、かつ配置等に改善を加える必要がある。
【００５５】
このように本実施例では、連結手段として保持体１８に設けたレバー３０と貯氷箱２１に設けた爪係合部３４、そして前記連結手段の連結と連結を外す連結解除手段としての、レバー３０の当接部３２とカム体３５の上下へ進退、更には連結手段であるレバー３０の爪３３を、貯氷箱２１の爪係合部３４より常に外していることにより、保持体１８を必要に応じて貯氷箱２１と連結し、貯氷箱２１とともに出し入れできるので、保持体１８に保持された製氷皿１２の出し入れ作業が単独、または必要に応じて貯氷箱２１と同時にできることになり、氷を取出したい時の貯氷箱２１の出し入れの目的に支障を与えることなく、製氷皿１２の出し入れを合理的に行えるものである。
【００５６】
【発明の効果】
以上のように本発明冷蔵庫の請求項１に記載の発明は、開閉自在な製氷室扉を設け、かつ製氷皿を内蔵し氷ができる温度に維持することができる製氷室を冷蔵庫本体に構成し、前記製氷室内に設けた駆動装置に着脱自在に連結されて駆動装置の駆動力により前記製氷室扉の反扉方向の後方に設けた軸を駆動して製氷皿を回転し、該製氷皿を変形することにより氷を製氷皿より分離して製氷皿の下方に位置する前後移動自在な貯氷箱内に落下させる製氷装置において、前記製氷皿の製氷室扉方向の前方に設けた軸部と製氷皿の後方に設けた軸部とを支持または把持する保持部分を備えていて、前記製氷皿を貯氷箱の上方に単独で保持できる開口領域を具備した枠状の保持体を設け、前記保持体は、製氷室の前面を開口して貯氷箱を前方に移動して製氷室より取出した時に、前記製氷皿を保持したまま製氷室外に取出して製氷皿を分離して取出すことができるようにするとともに、その一部に、前記製氷皿の開口領域内に突出した阻止部を設け、更に前記製氷皿を、該製氷皿の前後を通る中心線に対し左右対称形に形成して前方と後方に設けた軸部を以って前記製氷皿を前記保持体の保持部分にバランスして保持させる構成にし、更に前記製氷皿の前後の対角位置に、該製氷皿が所定角度回転したときに前記阻止部と当接する当り部を設け、更に前記駆動装置と前記製氷皿の連結構造を、前記駆動装置の出力軸と前記製氷皿の軸部が嵌合する構造とし、前記製氷皿に設けた前方の軸部と後方に設けた軸部を同一形状とした製氷装置を具備する冷蔵庫で、製氷皿は保持体を介して製氷室への出し入れになり、安定した出し入れができるとともに、着脱を容易にできる。また、保持体は枠状に形成されているため、構造的に強くなり、保持した製氷皿を安定して製氷室へ出し入れすることができる。更に、保持体は、前方と後方に設けた軸部を以って保持部分に保持された製氷皿を、バランスして保持させるので、製氷皿の保持作業が普通に行える。更に、駆動装置の出力軸と製氷皿の軸部が嵌合する構造とし、製氷皿に設けた前方の軸部と後方に設けた軸部を同一形状としたことにより、前記製氷皿の前後が逆になっても駆動装置に連結でき、従って
、製氷皿の保持作業を、前後方向の取付け誤りを気にすることなく行うことができる。
【００５７】
また、請求項２に記載の発明は、請求項１に記載の発明において、前記保持体の幅を、前記貯氷箱の幅よりも広く形成し、該保持体を前記製氷室外に取出した時に、製氷室扉とともに製氷室から取出した前記貯氷箱の開口上端面に載りかかるように構成した冷蔵庫で、製氷皿の着脱時の保持が安定し、前記支えに特別な部材を使用するのではなく、貯氷箱を利用する簡単な構造にでき、かつ保持体自身の強度も一般的にすることが可能になる。
【００５８】
また、請求項３に記載の発明は、請求項１または２に記載の発明において、前記保持体の前記保持部分に、同一形状で、かつ前記製氷皿の前方、後方それぞれの軸部を着脱可能に保持するための小開口部を有するＵ字状の軸受を設けた冷蔵庫で、保持体を製氷室外へ取出し、製氷皿を取り外すときは、保持部分の上面が開口しているので、製氷皿は持ち上げるだけで前方、後方それぞれの軸部を保持部分から外し、取り外すことができる。また、逆に上方から軸部と後方部を小開口より保持部分に嵌合するだけで製氷皿は保持できる。
【００５９】
また、請求項４に記載の発明は、請求項１乃至３のいずれか一項に記載の発明において、前記製氷室の左右側壁に製氷室より出し入れする前記保持体の移動を案内する案内体と製氷室より出し入れする前記貯氷箱の移動を案内する案内体をそれぞれ横方向に設けた冷蔵庫で、貯氷箱と保持体は、製氷室からの出し入れ時、それぞれ製氷室の左右側壁の案内体に案内されて移動するため、製氷皿の着脱時の保持はもちろん、出し入れ時の保持も安定させることができる。しかも、前記支えに特別な部材を使用するのではなく貯氷箱を利用する簡単な構造にでき、かつ保持体自身の強度も一般的にすることが可能になる。
【００６０】
また、請求項５に記載の発明は、請求項３または４に記載の発明において、前記保持体を製氷室内へ収納した際に、前記保持部分の小開口を製氷室の上壁面の一部で閉じるように構成した冷蔵庫で、前記保持体を製氷室の所定位置へ入れれば保持部分の小開口は製氷室の上壁面の一部で閉じられ、軸部の保持部分からの外れが防止される。したがって、製氷皿の回転時に軸部の小開口からの浮き上がりによる外れを防止できる。
【００６１】
また、請求項６に記載の発明は、請求項１乃至５のいずれか一項に記載の発明において、前記製氷皿の軸方向における端部側の氷室を、該製氷皿の中央部に形成した氷室より幅を狭くして幅方向に並設することにより、前記端部側の氷室の間に空間部を形成し、更に、前記軸部の中心線に近接させた製氷皿の温度検出部を、前記空間部に設けた冷蔵庫で、製氷皿の端部側の氷室を、該製氷皿の中央部に形成した氷室より幅を狭くすることで前記端部側の氷室の間に空間部を形成し、前記空間部に製氷皿の温度検出部を設けたことにより、前記温度検出部を製氷皿の回転部分である後方の軸部の中心線に近接することができる。従って、温度検出部に内蔵した製氷センサから導出したリード線等を、製氷皿の回転部分である後方の軸部の中心線に近接して配線することが可能になる。また、温度空間部を形成するための空間部は、製氷皿の端部側の氷室間にだけ設け、中央部の氷室を、端部側の氷室より大きくしたことにより、製氷皿の全体に亘って空間部を設ける場合よりも氷室の設計が合理的になるとともに、大小の氷を作れる。
【００６２】
また、請求項７に記載の発明は、請求項１乃至６のいずれか一項に記載の発明において、前記保持体を連結手段により貯氷箱と連結し、貯氷箱とともに出し入れできる構成にした冷蔵庫で、保持体は連結手段により貯氷箱と連結し、貯氷箱とともに出し入れできるので、製氷皿の出し入れ作業が貯氷箱と同時にできることになり、製氷皿の出し入れを合理的に行えるものである。
【００６３】
以上説明したように本発明は製氷皿のみを冷蔵庫より取出して衛生面より洗浄したい場
合あるいは製氷皿を交換したい場合に、冷蔵庫の使用者が簡単な操作で確実に製氷皿を取り出し、また装着することができるものである。
【図面の簡単な説明】
【図１】  本発明冷蔵庫の実施例１における製氷装置部分を示す縦断面図
【図２】  同製氷装置部分を示す横断面図
【図３】  同製氷装置における製氷皿の回転用の軸部端面側を示す側面図
【図４】  同製氷装置の図２のＩ―Ｉ線における製氷装置部分を示す縦断面図
【図５】  同製氷装置における製氷室から貯氷箱を引出した状態を示す横断面図
【図６】  同製氷装置の図５のＩＩ―ＩＩ線における縦断面図
【図７】  同製氷装置における貯氷箱上に保持体を引出した状態を示す横断面図
【図８】  同製氷装置の図７のＩＩＩ―ＩＩＩ線における縦断面図
【図９】  同製氷装置の図７における保持体から製氷皿を外した状態を示す横断面図
【図１０】  同製氷装置の図９のＩＶ―ＩＶ線における縦断面図
【図１１】  同冷蔵庫の正面斜視図
【図１２】  同製氷装置における保持体の他の実施例を示す斜視図
【図１３】  同製氷装置における保持体の他の実施例を示す斜視図
【図１４】  同冷蔵庫の実施例２における製氷装置部分を示す横断面図
【図１５】  同製氷装置部分の図１４のＶ―Ｖ線における縦断面図
【図１６】  従来の製氷装置を備えた冷蔵庫の前記装置部分の縦断面図
【図１７】  同製氷装置における製氷皿部分の斜視図
【符号の説明】
１  冷蔵庫本体
２  製氷室
３  製氷室扉
１２  製氷皿
１５  軸部
１５ｃ  連結部
１５ｄ  温度検出部
１５ｅ  空間部
１７  駆動装置
１７ａ  出力軸
１８，１８０，１８５  保持体
１８ａ，１８ｂ  軸受（保持部分）
１８０ａ，１８０ｂ，１８５ａ，１８５ｂ  軸受（保持部分）
２１  貯氷箱
２２  押え部（上壁面の一部）
３０  レバー（連結手段）
３３  爪（連結手段）
３４  爪係合部（連結手段）
【図１】
0004385467.tif 000002
【図２】
0004385467.tif 000003
【図３】
0004385467.tif 000004
【図４】
0004385467.tif 000005
【図５】
0004385467.tif 000006
【図６】
0004385467.tif 000007
【図７】
0004385467.tif 000008
【図８】
0004385467.tif 000009
【図９】
0004385467.tif 000010
【図１０】
0004385467.tif 000011
【図１１】
0004385467.tif 000012
【図１２】
0004385467.tif 000013
【図１３】
0004385467.tif 000014
【図１４】
0004385467.tif 000015
【図１５】
0004385467.tif 000016
【図１６】
0004385467.tif 000017
【図１７】
0004385467.tif 000018